(57)【要約】      （修正有）【課題】運勢占い用に雑誌等の余分な荷物をカバンに入れずに済む占い手帳を得る。【解決手段】誕生月又は星座別毎のダイヤリリフィル２を用意し、このダイヤリリフィル２の日付毎に、リフィルを購入した誕生月又は星座の人のその日の運勢コメント文５及びアイコン運勢表示６を印刷する。好適には、一カ月スケジュールが見開きの左右頁に現れる月別スケジュールリフィルを用意し、この一カ月スケジュールの余りの枡目に、リフィルを購入した誕生月又は星座の人のその月の運勢及び／又はラッキーカラーを印刷し、また、手帳を女子中高生向けとし、ダイヤリリフィルの他に、化粧材関連物品をシート状にアレンジしたリフィルを用意し、化粧材関連物品リフィルとして、おしろいリフィル、口紅リフィル、アイシャドウリフィル、つけ爪リフィル、油とり紙リフィル、鏡リフィル、アプリケータ／ブラシを入れるケースリフィルを用意する。【選択図】図１
0003102544.tif 000002
【実用新案登録請求の範囲】
【請求項１】
バインダ形式の手帳において、誕生月又は星座別毎のダイヤリリフィルを用意し、このダイヤリリフィルの日付毎に、リフィルを購入した誕生月又は星座の人のその日の運勢を印刷したことを特徴とする占い手帳。
【請求項２】
前記運勢の印刷は、文章及び／又はアイコン表示とした請求項１記載の占い手帳。
【請求項３】
一カ月スケジュールが見開きの左右頁に現れる月別スケジュールリフィルを用意し、この一カ月スケジュールの余りの枡目に、リフィルを購入した誕生月又は星座の人のその月の運勢及び／又はラッキーカラーを印刷した請求項１又は２記載の占い手帳。
【請求項４】
前記手帳を女子中高生向けとし、ダイヤリリフィルの他に、化粧材関連物品をシート状にアレンジしたリフィルを用意した請求項１乃至３のうちのいずれか一項に記載の占い手帳。
【請求項５】
前記化粧材関連物品リフィルとして、おしろいリフィル、口紅リフィル、アイシャドウリフィル、つけ爪リフィル、油とり紙リフィル、鏡リフィル、アプリケータ／ブラシを入れるケースリフィルを用意した請求項４記載の占い手帳。
【請求項６】
厚紙シートに少なくとも２個の窪みを設け、これら窪みに、おしろい、口紅、又はアイシャドウの化粧材を塗り込め、着脱可能な透明な薄いシートでカバーしたことを特徴とするバインダ手帳用化粧材リフィル。
【考案の詳細な説明】
【技術分野】
【０００１】
本考案は、差し替え可能リフィルを好みに応じて綴じるバインダ形式の手帳に関するものである。
【背景技術】
【０００２】
この種のバインダ形式の手帳としては、ビジネスマン向け、女性向け、学生向けに、各種サイズの手帳があり、互いに等間隔に配置した３穴の上下１対を少し離して配置した、若しくは全体的に等間隔離して配置した６穴リフィル、又は４穴リフィル、又は３穴リフィルのものがあり、基本リフィルとしてダイヤリリフィル及びスケジュールリフィルがある。
【考案の開示】
【考案が解決しようとする課題】
【０００３】
一方、最近の女子中高生は、運勢占いに興味を抱き、雑誌や、携帯電話の占いサイトでその日の運勢を見て、その日の行動の指針としている。従って、彼女達は、教科書、筆記用具、手帳の他に、雑誌、携帯電話、化粧関連用品等々をカバンに入れて通学しており、そのためカバンは重くなっている。
【０００４】
従って、本考案の目的は、運勢占い用に雑誌等の余分な荷物をカバンに入れずに済む占い手帳を得るにある。
【課題を解決するための手段】
【０００５】
この目的を達成するため、本考案は、バインダ形式の手帳において、誕生月又は星座別毎のダイヤリリフィルを用意し、このダイヤリリフィルの日付毎に、リフィルを購入した誕生月又は星座の人のその日の運勢を印刷したことを特徴とする。
【考案の効果】
【０００６】
本考案によれば、雑誌等で今日の運勢を調べたりして知る必要なく、必携の手帳だけを見さえすれば分かり、行動を決めることができる。
【考案を実施するための最良の形態】
【０００７】
本考案の好適な実施例によれば、運勢の印刷は、文章及び／又はアイコン表示とする。更に、一カ月スケジュールが見開きの左右頁に現れる月別スケジュールリフィルを用意し、この一カ月スケジュールの余りの枡目に、リフィルを購入した誕生月又は星座の人のその月の運勢及び／又はラッキーカラーを印刷すると好適である。
【０００８】
本考案の好適な実施例によれば、占い手帳を女子中高生向けとし、ダイヤリリフィルの他に、化粧材関連物品をシート状にアレンジしたリフィルを用意する。化粧材関連物品リフィルとして、おしろいリフィル、口紅リフィル、アイシャドウリフィル、つけ爪リフィル、油とり紙リフィル、鏡リフィル、アプリケータ／ブラシを入れるケースリフィルを用意する。
【０００９】
更に、本考案は、このような占い手帳に綴じる化粧材リフィルに関するもので、厚紙シートに少なくとも２個の窪みを設け、これら窪みに、おしろい、口紅、又はアイシャドウの化粧材を塗り込め、着脱可能な透明な薄いシートでカバーしたことを特徴とする。
【実施例１】
【００１０】
図１は、本考案による好適な実施例の６穴バインダの占い手帳１を示す。この占い手帳１のダイヤリリフィル２の例として、いて座生まれの人向けのリフィルであり、２００Ｘ年の５月１０日〜５月１６日までの一週間の見開き頁を示す。
【００１１】
本考案のこの実施例によれば、見開きに一週間（７日）分の書き込み欄と、ＮＯＴＥ欄３の合計８個の枡目を設け、ＮＯＴＥ欄２には、「ラブ」、「マネー」、「健康」、「勉強、仕事」、「コミュニケーション」といった恋愛運、金運、健康運、勉強運、対人関係に関する運命の、アイコン表示の凡例４を印刷する。
【００１２】
更に、このダイヤリリフィル２の日付毎に、リフィルを購入した誕生月又は星座の人、この実施例ではいて座の人のその日の運勢コメント文５と、その日のアイコン運勢表示６を印刷する。
【００１３】
更に、図示はしないが、一カ月スケジュールが見開きの左右頁に現れる月別スケジュールリフィルを用意し、この一カ月スケジュールの余りの枡目に、リフィルを購入した誕生月又は星座の人のその月の運勢コメント文及び／又はラッキーカラーに関する記載を印刷すると好適である。
【００１４】
この占い手帳は女子中高生向けとし、ダイヤリリフィル２の他に、図２及び図３に示すように、化粧材関連物品をシート状にアレンジしたリフィルを用意する。
【００１５】
化粧材関連物品リフィルとして、おしろいリフィル、口紅リフィル、アイシャドウリフィル、つけ爪リフィル、油とり紙リフィル、鏡リフィル、アプリケータ／ブラシを入れるケースリフィルを用意することができ、図２には口紅リフィル７及びおしろいリフィル８を示し、図３には、複数個のつけ爪シールをパックしたつけ爪リフィル９及び鏡リフィル１０を示す。
【００１６】
図２に示す口紅リフィル７、及びおしろいリフィル８は、厚紙シートに少なくとも２個の窪み１１を設け、これら窪みに、おしろい、口紅、又はアイシャドウの化粧材を塗り込め、着脱可能な透明薄膜シート１２でカバーすることにより構成する。
【産業上の利用可能性】
【００１７】
「今日の運勢」をその日の指針として参考にする性癖を持つ人向けのニーズに応ずる手帳を提供し、特に、運勢やお化粧に興味を持つ女子中高生向けの商品として利用することができる。
【図面の簡単な説明】
【００１８】
【図１】本考案占い手帳に綴じ込むダイヤリリフィルの実施例の説明図である。
【図２】本考案占い手帳に綴じ込む口紅リフィル及びおしろいリフィルの実施例の説明図である。
【図３】本考案占い手帳に綴じ込むつけ爪リフィル及び鏡リフィルの実施例の説明図である。
【符号の説明】
【００１９】
１  占い手帳
２  ダイヤリリフィル
３  ＮＯＴＥ欄
４  凡例
５  運勢コメント文
６  アイコン運勢表示
７  口紅リフィル
８  おしろいリフィル
９  つけ爪リフィル
１０  鏡リフィル
１１  窪み
１２  透明薄膜シート
【図１】
0003102544.tif 000003
【図２】
0003102544.tif 000004
【図３】
0003102544.tif 000005
【手続補正書】
【提出日】平成16年2月10日(2004.2.10)
【手続補正１】
【補正対象書類名】実用新案登録請求の範囲
【補正対象項目名】請求項６
【補正方法】変更
【補正の内容】
【請求項６】
前記化粧材関連物品リフィルは、厚紙シートに少なくとも２個の窪みを設け、これら窪みに、おしろい、口紅、又はアイシャドウの化粧材を塗り込め、着脱可能な透明な薄いシートでカバーして構成した請求項５記載の占い手帳
【手続補正書】
【提出日】平成16年2月10日(2004.2.10)
【手続補正１】
【補正対象書類名】実用新案登録請求の範囲
【補正対象項目名】請求項６
【補正方法】変更
【補正の内容】
【請求項６】
前記化粧材関連物品リフィルは、厚紙シートに少なくとも２個の窪みを設け、これら窪みに、おしろい、口紅、又はアイシャドウの化粧材を塗り込め、着脱可能な透明な薄いシートでカバーして構成した請求項５記載の占い手帳